【手続補正書】
【提出日】平成18年5月26日(2006.5.26)
【手続補正１】
【補正対象書類名】明細書
【補正対象項目名】特許請求の範囲
【補正方法】変更
【補正の内容】
【特許請求の範囲】
【請求項１】  ベッド側部に取り付け可能な固定部と、この固定部に立設状態から側方へ倒伏可能に取り付けられる固定柵部とからなるサイドレールにおいて、固定柵部は少なくとも立設状態で保持拘束可能かつ適宜ベッドの下方へ倒伏するように固定部に対して回動可能に構成したことを特徴とするサイドレール。
【請求項２】  上記固定柵部の一側部に回動可能に回動把持部を設け、少なくとも固定柵部と略々同一平面を形成する状態と平面視において略々Ｌ字状に屈曲した状態とに保持拘束可能に構成したことを特徴とする請求項１記載のサイドレール。
【請求項３】  固定部と固定柵部間に倒伏手段を設け、固定柵部と回動把持部間に回動手段を設け、適宜な操作により回動把持部の回動操作及び保持拘束を可能とするとともに、固定柵部の倒伏操作及び少なくとも立設状態での保持拘束を可能としたことを特徴とする請求項２記載のサイドレール。
【請求項４】  ベッド側部に取付可能な固定部と、この固定部に倒伏手段を介して立設状態から側方へ倒伏可能に取り付けられる固定柵部と、この固定柵部に回動手段を介して少なくとも固定柵部と同一平面上に配置される状態から平面視において略々Ｌ字状に配置される状態に回動可能に取り付けられる回動把持部とからなるサイドレールにおいて、倒伏手段の適宜な操作により固定柵部を倒伏させたときに回動手段のロック状態が解除され、回動把持部が回動自在な状態となるよう構成したことを特徴とするサイドレール。
【手続補正２】
【補正対象書類名】明細書
【補正対象項目名】０００５
【補正方法】変更
【補正の内容】
【０００５】
しかしながら、上記のサイドレールには次のような問題点がある。
まず、このサイドレールを頭部側のみに装着した場合には、上述したようにベッドからの離床の際に足をずらすようにしてベッドサイドで端座位を取ることが可能であり、回動把持部を手掛かりとして立ち上がることができる。しかし、この場合には、足側にサイドレールが無いために布団あるいは使用者の落下防止が十分にできていない。また、片側にしか回動把持部が無いため、安心して立ち上がることができない。
また、このサイドレールを頭部側及び足側に装着した場合には、回動把持部をベッドのサイドフレームと平行とすることによってベッドサイド全面において、落下防止できるように構成されている。そして、ベッドサイドに端座位をとった後では、約９０度ベッドの外側に回動させた回動把持部が使用者の両側に位置するので使用者はより安全に立ち上がることができる。しかし、使用者がベッド上で仰臥している姿勢からベッドサイドで端座位をとるまでに足側のサイドレールが邪魔になり、この状態では姿勢をかえることが困難であり、サイドレールの脱着操作が必要となり、使用者一人で離床することは、極めて困難なものである。
【手続補正３】
【補正対象書類名】明細書
【補正対象項目名】０００７
【補正方法】変更
【補正の内容】
【０００７】
【課題を解決するための手段】
請求項１の発明は、ベッド側部に取り付け可能な固定部と、この固定部に立設状態から側方へ倒伏可能に取り付けられる固定柵部とからなるサイドレールにおいて、固定柵部は少なくとも立設状態で保持拘束可能かつ適宜ベッドの下方へ倒伏するように固定部に対して回動可能に構成したことを特徴とする。
請求項２の発明は、固定柵部の一側部に回動可能に回動把持部を設け、少なくとも固定柵部と略々同一平面を形成する状態と平面視において略々Ｌ字状に屈曲した状態とに保持拘束可能に構成したことを特徴とする。
請求項３の発明は、固定部と固定柵部間に倒伏手段を設け、固定柵部と回動把持部間に回動手段を設け、適宜な操作により回動把持部の回動操作及び保持拘束を可能とするとともに、固定柵部の倒伏操作及び少なくとも立設状態での保持拘束を可能としたことを特徴とする。
請求項４の発明では、ベッド側部に取付可能な固定部と、この固定部に倒伏手段を介して立設状態から側方へ倒伏可能に取り付けられる固定柵部と、この固定柵部に回動手段を介して少なくとも固定柵部と同一平面上に配置される状態から平面視におて略々Ｌ字状に配置される状態に回動可能に取り付けられる回動把持部とからなるサイドレールにおいて、倒伏手段の適宜な操作により固定柵部を倒伏させたときに回動手段のロック状態が解除され、回動把持部が回動自在な状態となるよう構成したことを特徴とする。
【手続補正４】
【補正対象書類名】明細書
【補正対象項目名】０００９
【補正方法】変更
【補正の内容】
【０００９】
【発明の実施の形態】
本発明に係るサイドレール１を図面に基づいて説明する。
まず、第１図は本発明に係るサイドレールの第一の実施形態を示したものであり、（ａ）図はその全体側面図、（ｂ）図はその全体平面図である。第２図はその倒伏手段の構成を示す要部斜視図である。第３図は倒伏手段の作用を示す説明図であり、（ａ）図はロック状態を示す要部断面図、（ｂ）図は倒伏可能な状態を示す要部断面図である。第４図は別の倒伏手段を示す断面図であり、（ａ）図はロック状態を示す要部断面図、（ｂ）図は倒伏可能な状態を示す要部断面図である。第５図はその回動手段の構成を示す要部斜視図である。第６図は回動手段の作用を示す説明図であり、（ａ）図はロック状態を示す要部断面図、（ｂ）図は回動可能な状態を示す要部断面図である。第７図はベッドに装着した状態を示す説明図（１）である。第８図はベッドに装着した状態を示す説明図（２）である。第９図は第二の実施形態を示す全体側面図である。第１０図はその回動手段及び倒伏手段の構成を示す斜視図である。第１１図は回動手段及び倒伏手段の作用を示す説明図であり、（ａ）図は回動手段及び倒伏手段のロック状態を示す要部断面図、（ｂ）図は回動手段のみロック解除された状態を示す要部断面図、（ｃ）図は回動手段及び倒伏手段がロック解除された状態を示す要部断面図である。
【手続補正５】
【補正対象書類名】明細書
【補正対象項目名】００１９
【補正方法】変更
【補正の内容】
【００１９】
上記のように構成された倒伏手段１８は、レバー部材３２の操作によって、ピン３４がロック溝部３２ｅに位置する状態では回動メタル２１と固定メタル２０とがしっかりと嵌合した状態であり、固定柵部３を立設した状態で保持拘束する構成であるとともに、固定柵部３に前後方向の負荷を掛けた場合にもピン３４がロック溝部３２ｅに位置しており、固定メタル２０と回動メタル２１の嵌合状態を解除できない構成である（第３図（ａ）参照）。
そして、レバー部材３２を前方回動すると、ピン３４が相対的にロック溝部３２ｅから作動溝部３２ｆに移動し、ピン３３，３４の間隔を広げる。これによって、回動メタル２１はスプリング２８の付勢力に抗して固定メタル２０から離間し、嵌合状態が解除される。固定メタル２０と回動メタル２１の嵌合状態が解除されれば、固定柵部３は基部パイプ６の軸周りに回動自在な状態となっており、側方へ倒伏させることが可能である（第３図（ｂ）参照）。
逆に、倒伏状態にある固定柵部３を立設状態に起こすとスプリング２８の付勢力によって自動的に固定メタル２０と回動メタル２１とが嵌合し、立設状態でロックされるものである。
【手続補正６】
【補正対象書類名】明細書
【補正対象項目名】００２５
【補正方法】変更
【補正の内容】
【００２５】
次に、上述のように構成されたサイドレール１の使用形態について説明する。
上記のように構成されたサイドレール１は、第７図に示すようにベッドＢのサイドフレームＳに具備されたサイドレール取付孔Ｓ１に頭部側（ベッドＢのヘッドボードＨ側）と足側（ベッドＢのフットボードＦ側）に夫々の回動把持部４，４が近接するようサイドレール１，１を装着する。このようにベッドＢに装着するとベッドＢ側部全面で布団や使用者等の落下防止ができる全面柵として機能させることができる。
このようにサイドレール１を装着したベッドＢから立ち上がるためには、まず頭部側及び足側のサイドレール１，１のそれぞれの回動把持部４，４をベッドＢの側方へ約９０度回動させる。
そして、足部側のサイドレール１の倒伏手段１８のレバー部材３２を回動操作し、倒伏手段１８の固定メタル２０と回動メタル２１の嵌合状態を解除する。これらの嵌合状態を解除すれば、固定柵部３が側方へ倒伏可能となるので、側方へ倒伏させることが可能となる。
この状態でサイドレール１を倒伏させると回動把持部４が床面に接当する状態もしくはベッドＢに接触して停止した状態となる。そして、使用者の足側側方が開放された状態となっており、この開放された空間から足を少しずつずらすようにして、使用者はベッドサイドに端座位の姿勢をとる。このとき、頭部側の固定柵部３と回動把持部４が使用者の体位変換の際の手掛かりとなり、非常に楽な状態で体位変換ができる。なお、このときベッドＢに具備された背上げ機構を利用するとより容易にできる。
ベッドサイドで端座位が取れれば、足側のサイドレール１を上方回動させる。このとき、倒伏手段１８の固定メタル２０の凹字状溝部２０ｅと回動メタル２１の突状部２１ｅが嵌合しない状態に構成されておれば、レバー部材３２の操作をしなくても固定柵部３を上方回動させることができ、非常に至便である。
そして、固定柵部３は上方回動により自動的にロックされ、この状態で使用者の両側部に回動把持部４，４が略々平行な状態で配置された状態となっており、この回動把持部４，４を手掛かりとして立ち上がることができる状態にある。
【手続補正７】
【補正対象書類名】明細書
【補正対象項目名】００２６
【補正方法】変更
【補正の内容】
【００２６】
逆に、ベッドＢに戻るときには、頭部側及び足部側のサイドレール１，１の回動把持部４，４をそれぞれ固定柵部３，３に対して略々９０度回動させた状態（立ち上がるときの状態）としておくと、ベッドＢに戻ったときの手掛かりとすることができ、安心して身体の向きを変えたりすることができる。
そして、ベッドＢに腰掛けるために向きを変えて、ベッドサイドに腰掛ける。
次に、ベッドＢ上で仰臥したときに足側に位置するサイドレール１の倒伏手段１８のレバー部材３２を回動させ、固定メタル２０と回動メタル２１の嵌合状態を解除し、固定柵部３をベッドＢ下方へ倒伏させる。
然る後、ベッドＢ側方で開放された空間から足を上げ、ベッドＢ上に足を載せた後、足側のサイドレール１を起立させ、倒伏手段１８をロックする。
そして、頭部側及び足側のサイドレール１，１の回動把持部４，４を固定柵部３，３と略々同一平面上に位置するように回動手段１９，１９の操作筒体４８，４８を何れか一方に回動させて固定メタル３６と固定メタル５１との嵌合状態を解除し、それぞれ回動させる。
この状態で、ベッドＢ側部全面を閉塞した状態として、布団や使用者等の落下を防止した全面柵として機能させることができる。
【手続補正８】
【補正対象書類名】明細書
【補正対象項目名】００２７
【補正方法】変更
【補正の内容】
【００２７】
また、第８図に示すように上記実施形態のサイドレール１を使用者の足側に装着し、頭部側には回動把持部４及び回動手段１９を設けていないサイドレール１を装着した場合について、説明する。
この回動把持部４及び回動手段１９を設けていないサイドレール１は、上記実施形態と略々同様に固定部２に倒伏手段１８を介して回動自在に固定把持部３を設けたものである。
このように構成したサイドレール１においては、使用者が立ち上がる際に手掛かりとなる回動把持部４を設けていないので、一方の回動把持部４と他方の固定柵部３を手掛かりとして立ち上がる。また、このサイドレール１も上記と同様に側方への倒伏操作が可能であるので、介護者による介護時にサイドレールを取り外したり取り付けたりといった煩雑な作業を行うことなく、介護の邪魔となる固定柵部３を下方へ倒伏させることができる。
【手続補正９】
【補正対象書類名】明細書
【補正対象項目名】００２８
【補正方法】変更
【補正の内容】
【００２８】
次に上記の実施形態と異なる第二の実施形態について第９図乃至第１１図を用いて説明する。
この実施形態では、倒伏手段１８と回動手段１９の操作方法をより簡単に行うために次のように構成している。
まず、固定部２及び固定柵部３は上記実施形態と略々同様の構成としており、同じ部分には上記と同じ符号を用いている。
この実施形態では、固定部２の基部パイプ６の前端部に、倒伏手段１８の固定メタル５５が固着されている。この固定メタル５５には回動支軸１３の軸線上に位置する箇所に空孔部５５ａが穿設されている。そして、この固定メタル５５には回動メタル５６が挿通される。この回動メタル５６には前記回動支軸１３に挿通可能な軸部５７ａを備えた段付支軸５７が固着されており、この段付支軸５７には嵌通空孔部５７ｂが設けられている。
そして、固定柵部３に固着されている回動支軸１３の上端部には固定メタル５８が固着されている。この固定メタル５８の上部には複数の爪部５８ａ，５８ａ，・・・が設けられるとともに、固定メタル５８内には嵌通空孔部５８ｂが設けられている。さらに、回動支軸１３の下部にはリング部材５９が固着され、後述する回動把持部４に固定される支承部材１７の上方摺動を規制する部材として作用する。
【手続補正１０】
【補正対象書類名】明細書
【補正対象項目名】００２９
【補正方法】変更
【補正の内容】
【００２９】
また、回動把持部４の下側水平部１５ａには支承部材１７が止着されている。さらに、上側水平部の端部には回動メタル６０が固着されている。この回動メタル６０は大径軸部６０ａと爪部６０ｂを備えた小径軸部６０ｃとからなるものであり、内部には段付空孔部６０ｄが穿たれている。さらに、小径軸部６０ｃの適所には雌ねじ部６０ｅが設けられている。
そして、支承部材１７を回動支軸１３の下端部から挿通するとともに、回動メタル６０の小径軸部６０ｃにカバー部材６１を挿通し、ネジ６２により固定した状態で固定メタル５８に嵌合させる。
さらに、回動メタル６０の上方から鍔付ピン６３を挿通させ、キャップ６４にて抜け止めする。
【手続補正１１】
【補正対象書類名】明細書
【補正対象項目名】００３０
【補正方法】変更
【補正の内容】
【００３０】
上記のように構成された倒伏手段１８及び回動手段１９を備えたサイドレール１は、第１１図に示すように回動把持部４の回動操作も固定柵部３の倒伏操作も回動把持部４によりロック解除することで行う。
詳述すると、通常の使用時には固定メタル５８と回動メタル６０とが嵌合した状態であるとともに、固定メタル５５の空孔部５５ａに鍔付ピン６４が挿通した状態となっており、回動把持部４の回動操作と固定柵部３の倒伏操作ができない状態となっている（第１１図（ａ）参照）。
そして、回動把持部４を回動操作する際には、回動把持部４を上方へ摺動させる。このとき、鍔付ピン６４は固定メタル５５の空孔部５５ａに挿通された状態にあるので、倒伏手段１８はロックした状態のまま、回動手段１９の固定メタル５８と回動メタル６０の嵌合のみ解除され、回動把持部４のみ回動操作可能となっている（第１１図（ｂ）参照）。
さらに、回動把持部４を上方に摺動させると、鍔付ピン６４が回動メタル６０の段付空孔部６０ｄに接当し、上方に持ち上げられ、この鍔付ピン６４の先端が固定メタル５５の空孔部５５ａから抜ける。この状態の時には、回動手段１９である固定メタル５８と回動メタル６０の嵌合状態が解除されており、回動把持部４が回動自在な状態であるとともに、倒伏手段１８である固定メタル５５から鍔付ピン６４が抜けた状態となっており、固定柵部３が倒伏可能な状態となっている。なお、回動把持部４はリング部材５９に支承部材１７が接当する位置まで摺動自在であるが、この接当した状態のときには鍔付ピン６４が固定メタル５５から抜けた状態としている（第１１図（ｃ）参照）。
【手続補正１２】
【補正対象書類名】明細書
【補正対象項目名】００３２
【補正方法】変更
【補正の内容】
【００３２】
このように、倒伏手段１８と回動手段１９を同一操作により、ロック解除できる構成とすることで、より至便に使用できる。
また、この実施形態では、サイドレール１を側方へ倒伏した際に自動的に回動手段１９のロックも解除できるよう構成しており、仮に固定柵部３と同一平面内に回動把持部４が配置された状態で倒伏しても、使用者がベッドサイドに端座位をとった後に、回動手段１９のロック解除操作をすることなく、回動把持部４が回動自在な状態となっており、足に回動把持部４が接触することで、自動的に約９０度回動した状態となり、固定柵部３を立設させるだけで、固定柵部３と回動把持部４が保持拘束される。
【手続補正１３】
【補正対象書類名】明細書
【補正対象項目名】図１１
【補正方法】変更
【補正の内容】
【図１１】
回動手段及び倒伏手段の作用を作用を示す説明図
（ａ）回動手段及び倒伏手段のロック状態を示す要部断面図
（ｂ）回動手段のみロック解除された状態を示す要部断面図
（ｃ）回動手段及び倒伏手段がロック解除された状態を示す要部断面図
【手続補正１４】
【補正対象書類名】図面
【補正対象項目名】図６
【補正方法】変更
【補正の内容】
【図６】
2004357875.tif 000001